(57)【特許請求の範囲】
【請求項１】
箱の内部を複数区分に仕切る複数の仕切材を挟み込み可能な挟み部材と、当該挟み部材を前記箱の一側面と略平行な方向に沿って移動させる挟み部移動装置とを備え、前記挟み部材の移動により、前記仕切材の相互平行度を調整可能にし、
前記挟み部材は、前記仕切材を二箇所で挟み込み可能となるように一対設けられ、前記挟み部移動装置は、前記一対の挟み部材を前記仕切材の延出方向に沿って相互に離間する方向に移動可能にすることを特徴とする仕切材調整装置。
【発明の詳細な説明】
【０００１】
【発明の属する技術分野】
本発明は仕切材調整装置に係り、更に詳しくは、箱の内部を複数区分に仕切る複数の仕切材の相互平行度を調整可能な仕切材調整装置に関する。
【０００２】
【従来の技術】
製袋機で製造された定型サイズの封筒を出荷時に収容する箱は、その内部に仕切材としての縦仕切板を複数有するタイプのものが一般的に使用され、この縦仕切板で仕切られた各収容区分に、所定枚数を一単位とする製袋後の封筒の束が横向きに起立した状態で収容されるようになっている。縦仕切板は、箱の長寸方向に沿って延出しており、これら縦仕切板の略中央部には一枚の横仕切板が交差している。ここで、縦仕切板及び横仕切板は、取扱いの便宜上から、相互に折り畳み方向に揺動可能になっている。従って、箱に封筒が収容されていない状態では、箱の搬送により、縦仕切板が相互に平行となっていないことが多く、各封筒収容区分のスペースにバラツキが生じる。このため、封筒を箱に収容する際に、所定のスペースより狭くなった収容区分を形成する縦仕切材を相互に拡開させる作業が不回避的に必要となる。
【０００３】
【発明が解決しようとする課題】
しかしながら、製袋された封筒を箱に収容する作業は、手作業で行われるのが一般的であるため、前述の縦仕切材の拡開作業も手作業で行われるのが現状である。その一方で、製袋機は高速処理能力を有するものが普及しつつある。このため、製袋された封筒を箱に収容する作業速度が封筒の供給速度に追い付かず、高速な製袋機を導入しても、封筒の梱包処理作業の遅延が、製袋機の高速機能を著しく減殺することとなり、全体としての作業効率を向上させ得ないという不都合を招来する。また、搬送時における封筒の損傷防止の観点から、箱の収容区分は、封筒をきっちりと収容できる仕切空間を形成する大きさに設けられているため、封筒を箱に収容する際には、束ねられた封筒の端縁が前記収容区分を形成する縦仕切板の内面等にどうしても引っ掛かる。つまり、手作業で封筒を収容する作業でも、仕切材が精度良く平行な状態に保たれていないと、その平行度を直しながら封筒を収容する必要があり、非常に労力を要し、これが、作業効率の低下を招来する大きな要因となっていた。
【０００４】
【発明の目的】
本発明は、このような不都合に着目して案出されたものであり、その目的は、箱の内部を仕切る複数の仕切材の相互平行度を自動的に調整することができる仕切材調整装置を提供することにある。
【０００５】
【課題を解決するための手段】
前記目的を達成するため、本発明は、箱の内部を複数区分に仕切る複数の仕切材を挟み込み可能な挟み部材と、当該挟み部材を前記箱の一側面と略平行な方向に沿って移動させる挟み部移動装置とを備え、前記挟み部材の移動により、前記仕切材の相互平行度を調整可能にし、
前記挟み部材は、前記仕切材を二箇所で挟み込み可能となるように一対設けられ、前記挟み部移動装置は、前記一対の挟み部材を前記仕切材の延出方向に沿って相互に離間する方向に移動可能にする、という構成を採用している。このような構成によれば、仕切材の相互平行度を手作業によらず自動的に行うことができるから、封筒等の内容物を箱に収容する労力を軽減することができ、当該収容作業の効率化を促進することが期待できる。また、仕切材の相互平行度を一層確実に調整することができる。
【０００７】
【実施例】
以下、本発明に係る仕切材調整装置が封筒処理装置に適用された実施例を図面を参照しながら説明する。
なお、本実施例中『封筒の側端』とは、封筒の開封口及び底部を除く封筒の両側端について用いられる。
【０００８】
図１には、封筒処理装置の概略正面図が示され、図２には、その概略平面図が示されている。これらの図において、封筒処理装置１０は、封筒Ｅを製造する製袋機１１の下流側に位置し、封筒Ｅを一枚ずつ連続的に供給する公知の供給装置１２からの封筒Ｅを、その面を略鉛直方向に向けて縦方向に順次積層して保持する受け部１３と、この受け部１３で保持された複数枚の封筒Ｅを一単位として抜き取る第１のロボット１４と、この第１のロボット１４で抜き取られた封筒Ｅの端揃えを行う端揃え装置１６と、この端揃え装置１６からの封筒Ｅを空箱Ｂ１に収容する収容装置１７と、この収容装置１７に空箱Ｂ１を供給する空箱搬送装置１８と、収容装置１７で封筒Ｅが収容された実箱Ｂ２を搬送する実箱搬送装置１９とを備えて構成されている。なお、図１において、第１のロボット１４は、図面の錯綜を避けるため、一点鎖線で示すこととする。
【０００９】
前記供給装置１２は、封筒Ｅが受け部１３に供給される際に、例えば、１００枚程度を一単位として、その単位毎に一枚の封筒Ｅの面位置を図１中手前側にシフトし、封筒Ｅの側端を部分的に突出可能とする機能を有する。
【００１０】
前記受け部１３は、図３及び図４にも示されるように、供給装置１２からの封筒Ｅをその開封口を上にして起立した状態で受け取り可能な封筒保持部２８と、封筒保持部２８上の封筒Ｅの転倒を防止する押え装置２９とを備えて構成されている。封筒保持部２８は、特に限定されるものではないが、１００枚を一単位とした四単位すなわち４００枚の封筒Ｅを受け取り可能に設けられている。なお、封筒保持部２８は、モータ３０によって連続駆動するベルトコンベヤ３１を有し、このベルトコンベヤ３１は、封筒Ｅの供給速度に追従して、図３中反時計方向に回転可能となっている。
【００１１】
前記押え装置２９は、封筒Ｅの左側面、すなわち図３中左側に配置されている。この押え装置２９は、封筒Ｅの面を押え付け可能な押え部材３２と、この押え部材３２を供給装置１２に対して進退可能にする追従機構３３及び正逆回転可能な駆動部３４とからなる。押え部材３２は、図５に示されるように、略方形状の板部材３６の図中上下両端に、上下ブロック部材３７，３７を固定して形成される。ここで、上下ブロック部材３７，３７の内面３７Ａは、封筒保持部２８の封筒Ｅの面に当接するようになっている。また、上下ブロック部材３７，３７の一側端には、先端が若干屈曲した押え片３８がそれぞれ固定されており、これにより、封筒保持部２８で保持された封筒Ｅの図４中上方側への位置ずれ若しくは転倒を防止する。
【００１２】
前記追従機構３３は、図３及び図４に示されるように、前記板部材３６に連なる連結部材３９と、この連結部材３９が固定されるブラケット４０と、このブラケット４０が固定される台部材４１と、この台部材４１の下面側に固定されるナット４２と、一端側がナット４２に係合し、他端側がフレームＦに軸支されて、前記封筒保持部２８の延出方向に対して略平行に延びるねじ軸４３とを備えて構成されている。駆動部３４の回転軸には、プーリ４４が固定される一方、前記ねじ軸４３の図４中左端にはプーリー４６が固定され、これらプーリー４４，４６間にはベルト４７が掛け回されている。ここでは、駆動部３４が正転すると、プーリー４４，４６及びベルト４７を介してねじ軸４３が回転し、台部材４１に固定された押え部材３２が供給装置１２に向って移動可能となっている。また、駆動部３４は、供給装置１２による封筒Ｅの供給が開始されると反転し、その供給速度に追従した速度で押え部材３２を前述と逆方向に後退させるとともに、予め設定された封筒Ｅのストック量に達すると回転を停止するようになっている。これによって、供給装置１２から順次供給される封筒Ｅは、常時起立した状態で受け部１３に保持されることとなる。なお、押え部材３２の反供給装置１２側にはセンサ４９が設けられ、このセンサ４９は、供給装置１２から順次供給される封筒Ｅの積層量が増えて、押え部材３２に与えられた圧力が予め設定した圧力に達したことを検知し、この検知に基づいて、押え部材３２側から１００枚の封筒Ｅを一単位として掴む指令信号を出力する。
【００１３】
前記第１のロボット１４は、図１及び図２に示されるように、本体部５０と、この本体部５０に連結されたロボットアーム部５１と、このロボットアーム部５１の先端に取り付けられたハンド部５２と、ロボットアーム部５１及びハンド部５２の駆動を制御する制御装置５３とを備えて構成されている。ロボットアーム部５１は、複数の腕部材５１Ａを繋ぎ合わせた多関節型に形成され、制御装置５３の制御により一定の領域内で回動可能に設けられている。
【００１４】
前記ハンド部５２は、図６に示されるように、前記封筒保持部２８に保持された一単位の封筒Ｅを表面及び裏面側から挟み込み可能な挟持手段５６と、この挟持手段５６と協働する隙間形成手段５７とから構成されている。挟持手段５６は、封筒Ｅを表面及び裏面側から挟み込む一対の挟持片５９，５９と、これら挟持片５９，５９の一端側に設けられたエアシリンダ６０とを備えており、このエアシリンダ６０の駆動によって、挟持片５９，５９が相互に離間接近可能となり、封筒Ｅを挟持可能とする。
【００１５】
隙間形成手段５７は、挟持片５９，５９の一方側に設けられた板ばね６２と、この板ばね６２を移動させるエアシリンダ６３とを備えて構成されている。板ばね６２は、前記一方の挟持片５９の図中上下二箇所に設けられ、挟持片５９の面位置より若干外側にシフトした位置に設けられている。ここで、板ばね６２は、その基端側がエアシリンダ６３に連結される連結部材６４によって支持されており、その先端側が自由端側となる片持ち構造をなしている。また、板ばね６２，６２は、その先端が挟持片５９，５９の先端よりも延びる長さに設けられ、封筒Ｅを挟持する際に、板ばね６２，６２の自由端側が挟持片５９，５９の先端よりも前記受け部１３側に延びるようになっている。なお、エアシリンダ６３は、板ばね６２，６２を、その面と直交する方向に移動させる。
【００１６】
第１のロボット１４は、制御装置５３の制御によって次のように動作する。
すなわち、前記センサ４９が前述した設定圧を検知すると、これが制御装置５３に出力される。そして制御装置５３は、第１のロボット１４を予めティーチングした軌跡に沿って動作させるべく駆動信号を出力する。すると、前記ロボットアーム部５１が作動し、ハンド部５２を図７に示される位置、すなわち図中左端側の一単位の封筒Ｅに対向させる。更に、ロボットアーム部５１の作動によって、ハンド部５２を受け部１３に向って前進させ、板ばね６２の内面６２Ａを突出した封筒Ｅの面に図中右側から当接させる。次いで、ロボットアーム部５１が一旦停止し、図８に示されるように、板ばね６２の基端側が挟持片５９側に移動するようにエアシリンダ６３が駆動して、封筒Ｅの突出部分を曲げ、突出した封筒Ｅの端部とそれに隣接する封筒Ｅとの間に隙間を形成する。その後、ロボットアーム部５１が再び作動し、ハンド部５２を受け部１３に向って更に直進させ、図９に示されるように、板ばね６２の自由端６２Ｃを前記隙間に挿入する。次いで、ロボットアーム部５１が再び停止するとともに、板ばね６２の基端側が挟持片５９から離間するようにエアシリンダ６３が駆動し、図１０に示されるように、前記隙間を拡開する。そして、ロボットアーム部５１が再び作動し、ハンド部５２を受け部１３に向って更に前進させる。すると、板ばね６２側の挟持片５９が前記隙間に挿入され、他方の挟持片５９は前記上下一対のブロック部材３７，３７間に干渉することなく挿入される。この状態で、エアシリンダ６０の駆動により挟持片５９，５９が相互に接近し、一単位の封筒Ｅを挟み込む。その後、ロボットアーム部５１によって、一単位の封筒Ｅを挟持片５９，５９間に挟んだまま前記端揃え装置１６に運搬する。
【００１７】
なお、差込部材としては、板ばね６２に限定されるものではなく、前記隙間を拡開する際に、拡開を可能にする硬度を有し且つ破壊しない程度の材料で形成されていれば、ゴムや樹脂等を用いることも可能である。
【００１８】
また、隙間形成手段５７は、供給装置１２による封筒Ｅの供給時に、所定の仕切部材を設定枚数毎に封筒Ｅ間に挿入し、その仕切部材を用いて隙間を形成するものや、板ばね６２の先端を封筒Ｅを痛めない材料を用いて鋭利にし隙間を形成しやすくするもの等、本実施例と別途の手段であってもよい。このようにすると、供給装置が封筒Ｅの面位置をシフトする機能を有しないものあっても封筒Ｅ間の隙間形成が可能となる。
【００１９】
前記端揃え装置１６は、図１１及び図１２に示されるように、ロボットアーム部５１からの封筒Ｅを受け取る台座６６と、この台座６６に受け取られた一単位の封筒Ｅを表面側及び裏面側から保持する支持部材６７と、封筒Ｅの側端を揃える端揃え部材６８と、この端揃え部材６８を移動させるロータリーシリンダ６９とを備えて構成されている。
【００２０】
台座６６は、封筒Ｅの一側端が下になるように、すなわち封筒Ｅの長寸側を横向きに立てた状態で設置可能となっている。支持部材６７は、図１２中左右両側に二対設けられている。端揃え部材６８は、台座６６に設置された封筒Ｅの開封口側と底部側に設けられた一対の突揃え部７１，７１にそれぞれ取り付けられ、ロータリーシリンダ６９の駆動により、台座６６の封筒Ｅの上側端が同一線上に揃う位置に回動可能となっている。なお、突揃え部７１，７１は、突揃え用シリンダ７１Ａの駆動により相互に離間接近可能となっており、これによって、台座６６に設置された封筒Ｅの長寸側両端を同一線上に揃えることができる。
【００２１】
端揃え装置１６は、制御装置７０（図１参照）の制御により次のように作用する。
すなわち、台座６６における支持部材６７，６７間に封筒Ｅが設置されると、ロータリーシリンダ６９が駆動し、端揃え部材６８が封筒Ｅの上側端に当接して上側端を同一線上に揃えるとともに、突揃え用シリンダ７１Ａが駆動し、封筒Ｅの長寸側両端をも同一線上に揃える。
【００２２】
なお、前記端揃え部材６８は、ロータリーシリンダ６９により回動する方式に限定されるものではなく、例えば、プッシュ式のシリンダを用いて上下方向に移動するようなものであってもよい。
【００２３】
前記収容装置１７は、図１３に示されるように、端揃え装置１６で上側端及び長寸側両端が揃えられた封筒Ｅを空箱Ｂ１に運搬する第２のロボット７２と、空箱Ｂ１の内部に設けられた仕切材としての縦仕切板Ｓの相互平行度を調整する仕切材調整装置７４とを備えて構成されている。
【００２４】
前記第２のロボット７２は、端揃え装置１６の封筒Ｅを挟持する挟持装置７６と、この挟持装置７６を先端に設けた三軸ロボットのＺ軸７８と、このＺ軸と交差するように設けられたＹ軸７９と、このＹ軸７９と交差するように設けられたＸ軸８０とを備えて構成されている。挟持装置７６は、一単位の封筒Ｅを挟持可能な挟持部８２と、この挟持部８２を作動させるシリンダ８３とからなっている。ここで、Ｚ軸７８は図中上下方向に移動可能に設けられるとともに、Ｙ軸７９の作動によって図中左右方向にも移動可能に設けられている。また、Ｙ軸７９は、Ｘ軸８０の作動により図中紙面直交方向に移動可能に設けられている。このため、挟持部８２は三次元的に移動可能となる。
【００２５】
第２のロボット７２は、制御装置７０の制御により次のように作用する。
すなわち、前記端揃え装置１６で封筒Ｅの長寸側両端及び上側端が揃えられた後、Ｚ軸７８及びＹ軸７９を移動させ、端揃え装置１６に保持された封筒Ｅを跨ぐ位置に挟持部８２を停止させる。このとき、シリンダ８３が作動して挟持部８２で一単位の封筒Ｅを挟持する。その後、Ｚ軸７８及びＹ軸７９を再び移動させ、前記仕切材調整装置７４によって縦仕切板Ｓの平行度が調整された空箱Ｂ１の各収容区分に挟持部８２の封筒Ｅを収容する。なお、複数の収容区分のどの場所に、どのタイミングで封筒Ｅを収容するかは、予め第２のロボット７２にティーチングされている。
【００２６】
空箱Ｂ１の内部には、図１４に示されるように、空箱Ｂ１の長寸幅方向に沿って前記縦仕切板Ｓが複数枚設けられている。縦仕切板Ｓは、取扱いの便宜上、その中央部が空箱Ｂ１の短寸幅方向に沿う一枚の横仕切板Ｋの面に交差し、当該横仕切板Ｋに対して揺動可能となっている。空箱Ｂ１の内部空間は縦仕切板Ｓ及び横仕切板Ｋで仕切られ、その仕切られた空間が封筒Ｅの各収容区分となる。ここで、封筒Ｅは、特に限定されるものではないが、その底部が横仕切板Ｋに沿うように、横向きの位置で各収容区分に収容される。
【００２７】
前記仕切材調整装置７４は、図１２及び図１３に示されるように、前記縦仕切板Ｓを挟み込み可能な挟み部材８５と、この挟み部材８５を移動させる挟み部移動装置８６とを備えて構成されている。挟み部材８５は、挟み部移動装置８６に接続されて長さの異なる支持片８８，８９と、これら支持片８８，８９にそれぞれ垂下された複数の挟み片９２，９３とからなっている。ここで、挟み部材８５は、前記横仕切板Ｋを挟んで縦仕切板Ｓの延出方向両側に一対設けられており、挟み片９２，９３の接近によって各縦仕切板Ｓを二箇所で挟み込み可能になっている。
【００２８】
前記挟み部移動装置８６は、空箱Ｂ１と前記端揃え装置１６との間に設けられた本体部９６と、この本体部９６の上部に設けられ、前記支持片８８，８９を横仕切板Ｋの延出方向に進退させる第１の支持台９７と、本体部９６を縦仕切板Ｓの延出方向に移動させる第２の支持台９８とにより構成されている。本体部９６は、空箱Ｂ１の横仕切板Ｋの仮想延長線を挟んで、縦仕切板Ｓの延出方向両側に一対配置されるとともに、シリンダ９９（図１３参照）によって上下に昇降可能となっている。第１の支持台９７は、シリンダ１００を含んで構成され、このシリンダ１００が駆動すると、支持片８８，８９を相互に反対方向に移動させる機構を有しており、これによって、挟み片９２，９３で縦仕切板Ｓを挟み込み可能となる。第２の支持台９８は、正逆回転可能な駆動部１０２（図１３参照）と、この駆動部１０２の回転軸に固定されたプーリ１０３（図１３参照）と、本体部９６の下面側に設けられた図示しないナットに係合するねじ軸１０４と、このねじ軸１０４の一端側に固定されたプーリ１０５と、プーリ１０３，１０５間を掛け回すベルト１０６とからなっている。ここで、ねじ軸１０４は、その他端側がフレームＦに軸支されており、略中間を境にねじの螺旋方向が相互に逆向きに形成され、その各領域に本体部９６がそれぞれ係合している。このため、駆動部１０２が駆動すれば、各本体部９６が相互に離間接近することとなる。
【００２９】
仕切材調整装置７４は、制御装置７０の制御により次のように作用する。
すなわち、前記空箱搬送装置１８によって、空箱Ｂ１が支持片８８，８９の下方における所定位置（図１２参照）に配置される前後において、シリンダ９９が作動し、本体部９６，９６が下降する。これに伴って、図１５の模式図に示されるように、各挟み片９２，９３も下降し、これら各挟み片９２，９３の間に各縦仕切板Ｓを介在させる。この際、各縦仕切板Ｓは相互に平行となっていない。次いで、第１の支持台９７が移動し、図１６の模式図に示されるように、挟み片９２，９３を相互に接近させ、挟み片９２，９３が縦仕切板Ｓの延出方向に沿って移動可能になる程度に、縦仕切板Ｓを緩く挟み込む。その後、駆動部１０２が正回転し、横仕切板Ｋ付近に存在する本体部９６，９６を相互に離間させながら、挟み片９２，９３を縦仕切板Ｓの延出方向に沿って移動し、複数の縦仕切板Ｓを相互に平行に位置決めする。この状態で、駆動部１０２の駆動を停止するとともに、第１の支持台９７を停止して、前述したように、端揃え装置１６から封筒Ｅを空箱Ｂ１に挿入する。そして、空箱Ｂ１の各収容区分に封筒Ｅが全て収容されると、第１の支持台９７が移動して挟み片９２，９３を相互に離間させた上で、シリンダ９９を上昇し、駆動部１０２を逆回転して本体部９６，９６を相互に接近させ、図１２に示される初期状態に復帰させる。
【００３０】
なお、挟み片９２，９３は、前述のように横仕切板Ｋを挟んで両側に一対設けられる構成に限定されず、横仕切板Ｋを挟む何れか一側にのみ設けてもよいし、更に復数箇所に亘って設けてもよい。
【００３１】
前記空箱搬送装置１８は、図１及び図２に示されるように、コンベア１０９上に、図示しない製函機で製函され、予め仕切板Ｓ，Ｋが投入された空箱Ｂ１が搭載され、図示しない駆動装置によってコンベア１０９が回転され、空箱Ｂ１を前記仕切材調整装置７４の所定位置（図１２参照）に移送可能となっている。
【００３２】
前記実箱搬送装置１９は、収容装置１７で封筒Ｅが収容された実箱Ｂ２を閉蓋状態にする閉蓋装置１１１と、この閉蓋装置１１１からの実箱Ｂ１が搭載され、図示しない搬送口に繋がるコンベア１１２とを備えて構成されている。閉蓋装置１１１は、実箱Ｂ２の蓋Ｕを吸着可能な吸着部材１１３の回動によって、実箱Ｂ２を閉蓋する等の公知の構造となっている。ここで、封筒Ｅが収容された実箱Ｂ２を収容装置１７から実箱搬送装置１９に移動させる手段として、プッシャーシリンダ１１５が採用されている。
【００３３】
空箱搬送装置１８及び実箱搬送装置１９は、制御装置７０の制御により次のように作動する。
先ず、コンベア１０９が駆動することで、図示しない製函機からの空箱Ｂ１に仕切板Ｓ，Ｋが投入され、収容装置１７に移送される。そして、空箱Ｂ１が仕切材調整装置７４の所定位置（図１２参照）に達したとき、コンベア１０９を停止して空箱Ｂ１の移送を停止する。次いで、収容装置１７によって封筒Ｅが空箱Ｂ１の全ての収容区分に収容された後、プッシャーシリンダ１１５によって実箱Ｂ２を閉蓋装置１１１に押し出す。そして、コンベア１０９を再駆動させ、次なる空箱Ｂ１を仕切材調整装置７４の所定位置に供給する。また、閉蓋装置１１１に実箱Ｂ２が供給されると、吸着部材１１３が作動し、封筒Ｅが収容された実箱Ｂ２を閉蓋する。この後、閉蓋された実箱Ｂ２は、コンベア１１２の駆動により図示しない搬送口に搬送される。
【００３４】
次に、封筒処理装置１０の全体的作用について説明する。
【００３５】
製袋機１１で製袋された封筒Ｅは、供給装置１２によって、一枚づつ起立され受け部１３に順次送り出されて積層状態で起立保持される。そして、受け部１３に保持される封筒Ｅが設定量に達したことがセンサ４９により検知されると、第１のロボット１４が動作し、ハンド部５２で受け部１３から一単位の封筒Ｅを抜き取り、端揃え装置１６に運搬する。次いで、端揃え装置１６で封筒Ｅの上側端及び長手方向両端が揃えられ、その封筒Ｅを第２のロボット７２によって、仕切材調整装置７２で調整済みの空箱Ｂ１に収容する。封筒Ｅが空箱Ｂ１の全ての収容区分に収容された後、プッシャーシリンダ１１５によって実箱Ｂ２を閉蓋装置１１１に供給し、閉蓋した上で、その実箱Ｂ２を実箱搬送装置１９で図示しない搬送口に搬送する。
【００３６】
従って、このような実施例によれば、支持片８８，８９にそれぞれ垂下された複数の挟み片９２，９３は、縦仕切板Ｓを挟み込んだ後、挟み部移動装置８６により縦仕切板Ｓの延出方向に移動可能になっているから、複数の縦仕切板Ｓの相互平行度を自動的に調整可能となり、封筒Ｅを空箱Ｂ１に収容する作業の一層の効率化を図ることができる。
【００３７】
なお、前記実施例においては、封筒Ｅを対象としているが、本発明はこれに限られず、前記実施例と同様の構成で、葉書、各種のフィルム、若しくはシート等の他の紙葉類を対象とすることも可能である。
【００３８】
また、本発明における装置各部の構成は図示構成例に限定されるものではなく、実質的に同様の作用を奏する限りにおいて、種々の変更が可能である。
【００３９】
【発明の効果】
以上説明したように、本発明によれば、箱の内部を複数区分に仕切る複数の仕切材を挟み込み可能な挟み部材と、当該挟み部材を前記箱の一側面と略平行な方向に沿って移動させる挟み部移動装置とを備え、前記挟み部材の移動により、前記仕切材の相互平行度を調整可能にしたから、仕切材の相互平行度を手作業によらず自動的に行うことができ、封筒等の内容物を箱に収容する労力を軽減して当該収容作業の効率化を促進することが期待できる。
【００４０】
また、前記挟み部材を、前記仕切材を二箇所で仕切材を挟み込み可能となるように一対設け、前記駆動装置を、前記一対の挟み部材を前記仕切材の延出方向に沿って相互に離間する方向に移動可能としたから、仕切材の相互平行度を一層確実に調整可能となる。
【図面の簡単な説明】
【図１】実施例に係る封筒処理装置の概略正面図。
【図２】図１の概略平面図。
【図３】受け部の概略拡大正面図。
【図４】図３の概略平面図。
【図５】押え部材の概略拡大斜視図。
【図６】ハンド部の概略拡大斜視図。
【図７】板ばねが積層された封筒に挿入される前の状態を示す模式図。
【図８】板ばねが封筒の突出部分に当接して隙間を形成する動作を説明する模式図。
【図９】板ばねが突出した封筒と隣接する封筒との間に差し入れられた状態を示す模式図。
【図１０】板ばねにより隙間を拡開する動作を説明する模式図。
【図１１】端揃え装置の概略拡大側面図。
【図１２】端揃え装置及び仕切材調整装置の概略拡大平面図。
【図１３】収容装置の概略拡大正面図。
【図１４】箱の概略斜視図。
【図１５】挟み片が箱に挿入される動作を説明する模式図。
【図１６】挟み片が仕切材を挟んで移動する動作を説明する模式図。
【符号の説明】
７４  仕切材調整装置
８５  挟み部材
８６  挟み部移動装置
Ｂ１  空箱
Ｓ  縦仕切板
【図１】
0003560469.tif 000002
【図２】
0003560469.tif 000003
【図３】
0003560469.tif 000004
【図４】
0003560469.tif 000005
【図５】
0003560469.tif 000006
【図６】
0003560469.tif 000007
【図７】
0003560469.tif 000008
【図８】
0003560469.tif 000009
【図９】
0003560469.tif 000010
【図１０】
0003560469.tif 000011
【図１１】
0003560469.tif 000012
【図１２】
0003560469.tif 000013
【図１３】
0003560469.tif 000014
【図１４】
0003560469.tif 000015
【図１５】
0003560469.tif 000016
【図１６】
0003560469.tif 000017